【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
無線通信システムにおいて搬送波を集成する方法であって、前記方法は、
プライマリセルを構成することと、
前記プライマリセルに加えて、セコンダリーセルを構成することと
を含み、
前記プライマリセルは、ＴＤＤ（ｔｉｍｅ  ｄｉｖｉｓｉｏｎ  ｄｕｐｌｅｘ）フレームを使用し、アップリンクサブフレーム及びダウンリンクサブフレームは、前記ＴＤＤフレーム内において異なる時間に位置し、
前記セコンダリーセルは、ＦＤＤ（ｆｒｅｑｕｅｎｃｙ  ｄｉｖｉｓｉｏｎ  ｄｕｐｌｅｘ）フレームを使用し、アップリンクサブフレーム及びダウンリンクサブフレームは、それぞれ、２つの異なる周波数に位置する、方法。
【請求項２】
前記プライマリセルに対するアップリンク−ダウンリンク（ＵＬ−ＤＬ）構成を受信することをさらに含み、
前記ＵＬ−ＤＬ構成は、前記ＴＤＤフレーム内に含まれた各サブフレームに対して、前記各サブフレームがダウンリンクサブフレームであるか、またはアップリンクサブフレームであるかを指示し、
前記セコンダリーセルに対するＵＬ−ＤＬ構成は、前記プライマリセルに対するＵＬ−ＤＬ構成に基づいて決定される、請求項１に記載の方法。
【請求項３】
前記プライマリセルに対するＵＬ−ＤＬ構成は、
【表１】
2015518679.tif 000001
に含まれたＵＬ−ＤＬ構成のうちの１つであり、Ｄは、ダウンリンクサブフレームを示し、Ｓは、特定のフレームを示し、Ｕは、アップリンクサブフレームを示す、請求項１に記載の方法。
【請求項４】
前記セコンダリーセルのサブフレームｎ−ｋにおいてデータを受信することと、
前記プライマリセルのサブフレームｎにおいて前記データに対するＡＣＫ／ＮＡＣＫ信号を送信することと
をさらに含み、
前記サブフレームｎ及びｋは、以下の表
【表２】
2015518679.tif 000002
に従って構成される、請求項１に記載の方法。
【請求項５】
前記プライマリセルは、基地局との初期連結確立過程または連結再確立過程を遂行するセルである、請求項１に記載の方法。
【請求項６】
無線通信システムにおいて搬送波を集成する装置であって、前記装置は、
無線信号を送信及び受信する無線周波数（ＲＦ）ユニットと、
前記ＲＦユニットと動作可能に連結されたプロセッサと
を備え、
前記プロセッサは、プライマリセル及びセコンダリーセルを構成し、
前記プライマリセルは、ＴＤＤ（ｔｉｍｅ  ｄｉｖｉｓｉｏｎ  ｄｕｐｌｅｘ）フレームを使用し、アップリンクサブフレーム及びダウンリンクサブフレームは、前記ＴＤＤフレーム内において異なる時間に位置し、
前記セコンダリーセルは、ＦＤＤ（ｆｒｅｑｕｅｎｃｙ  ｄｉｖｉｓｉｏｎ  ｄｕｐｌｅｘ）フレームを使用し、アップリンクサブフレーム及びダウンリンクサブフレームは、それぞれ、２つの異なる周波数に位置する、装置。
【請求項７】
前記プロセッサは、前記プライマリセルに対するアップリンク−ダウンリンク（ＵＬ−ＤＬ）構成をさらに受信し、
前記ＵＬ−ＤＬ構成は、前記ＴＤＤフレーム内に含まれた各サブフレームに対して、前記各サブフレームがダウンリンクサブフレームであるか、またはアップリンクサブフレームであるかを指示し、
前記セコンダリーセルに対するＵＬ−ＤＬ構成は、前記プライマリセルに対するＵＬ−ＤＬ構成に基づいて決定される、請求項６に記載の装置。
【請求項８】
前記プライマリセルに対するＵＬ−ＤＬ構成は、
【表３】
2015518679.tif 000003
に含まれたＵＬ−ＤＬ構成のうちの１つであり、Ｄは、ダウンリンクサブフレームを示し、Ｓは、特定のフレームを示し、Ｕは、アップリンクサブフレームを示す、請求項６に記載の装置。
【請求項９】
前記プロセッサは、
前記セコンダリーセルのサブフレームｎ−ｋにおいてデータを受信することと、
前記プライマリセルのサブフレームｎにおいて前記データに対するＡＣＫ／ＮＡＣＫ信号を送信することと
をさらに行い、
前記サブフレームｎ及びｋは、以下の表
【表４】
2015518679.tif 000004
に従って構成される、請求項６に記載の装置。
【請求項１０】
前記プライマリセルは、基地局との初期連結確立過程または連結再確立過程を遂行するセルである、請求項６に記載の装置。
【手続補正２】
【補正対象書類名】明細書
【補正対象項目名】０００７
【補正方法】変更
【補正の内容】
【０００７】
本発明の他の態様によれば、無線通信システムにおける搬送波を集成する装置は、無線信号を送信及び受信するＲＦ（ｒａｄｉｏ  ｆｒｅｑｕｅｎｃｙ）部、及び上記ＲＦ部と連結されるプロセッサを含み、かつ上記プロセッサは第１搬送波を設定し、及び上記第１搬送波に追加して第２搬送波を設定し、かつ上記第１搬送波はフレーム内にアップリンクサブフレーム及びダウンリンクサブフレームが互いに異なる時間に位置するＴＤＤ（ｔｉｍｅ  ｄｉｖｉｓｉｏｎ  ｄｕｐｌｅｘ）搬送波であり、上記第２搬送波はダウンリンクサブフレームのみで構成されるダウンリンク専用搬送波であることを特徴とする。
本願明細書は、例えば、以下の項目も提供する。
（項目１）
無線通信システムにおける搬送波を集成する方法であって、
第１搬送波を設定し、及び、
前記第１搬送波に追加して第２搬送波を設定し、かつ、
前記第１搬送波はフレーム内にアップリンクサブフレーム及びダウンリンクサブフレームが互いに異なる時間に位置するＴＤＤ（ｔｉｍｅ  ｄｉｖｉｓｉｏｎ  ｄｕｐｌｅｘ）搬送波であり、
前記第２搬送波はダウンリンクサブフレームのみで構成されるダウンリンク専用搬送波であることを特徴とする、方法。
（項目２）
前記第１搬送波及び前記第２搬送波の各々に対するアップリンク−ダウンリンク設定（ｕｐｌｉｎｋ−ｄｏｗｎｌｉｎｋ  ｃｏｎｆｉｇｕｒａｔｉｏｎ：ＵＬ−ＤＬ設定）を受信し、かつ前記ＵＬ−ＤＬ設定はフレーム内に含まれるサブフレームの各々がダウンリンクサブフレームか、アップリンクサブフレームかを指示することを特徴とする、項目１に記載の方法。
（項目３）
前記第２搬送波に対するＵＬ−ＤＬ設定はフレーム内の全てのサブフレームがダウンリンクサブフレームであることを指示することを特徴とする、項目２に記載の方法。
（項目４）
前記第２搬送波に対するアップリンク−ダウンリンク設定（ｕｐｌｉｎｋ−ｄｏｗｎｌｉｎｋ  ｃｏｎｆｉｇｕｒａｔｉｏｎ：ＵＬ−ＤＬ設定）及び切換情報を受信し、かつ前記ＵＬ−ＤＬ設定は前記第２搬送波のフレーム内に含まれるサブフレームの各々がダウンリンクサブフレームか、アップリンクサブフレームかを指示し、前記切換情報は前記フレーム内のアップリンクサブフレームをダウンリンクサブフレームに切り替えることを指示する情報であることを特徴とする、項目１に記載の方法。
（項目５）
前記第２搬送波は、ＴＤＤ（ｔｉｍｅ  ｄｉｖｉｓｉｏｎ  ｄｕｐｌｅｘ）フォーマットまたはＦＤＤ（ｆｒｅｑｕｅｎｃｙ  ｄｉｖｉｓｉｏｎ  ｄｕｐｌｅｘ）フォーマットのうち、いずれか１つを使用することを特徴とする、項目１に記載の方法。
（項目６）
前記ＴＤＤフォーマットは、前記ＴＤＤ搬送波と同一な位置で同期化信号及びブロードキャスト（ｂｒｏａｄｃａｓｔ）チャンネルを転送するフォーマットであることを特徴とする、項目５に記載の方法。
（項目７）
前記ＦＤＤフォーマットは、ダウンリンクサブフレームとアップリンクサブフレームが互いに異なる周波数帯域に位置するＦＤＤ（ｆｒｅｑｕｅｎｃｙ  ｄｉｖｉｓｉｏｎ  ｄｕｐｌｅｘ）搬送波と同一な位置で同期化信号及びブロードキャスト（ｂｒｏａｄｃａｓｔ）チャンネルを転送するフォーマットであることを特徴とする、項目５に記載の方法。
（項目８）
フレーム構造指示情報を受信し、かつ、
前記フレーム構造指示情報は、前記第２搬送波がＴＤＤフォーマット及びＦＤＤフォーマットのうち、どのフォーマットを使用するかを知らせることを特徴とする、項目５に記載の方法。
（項目９）
前記第２搬送波のダウンリンクサブフレームで受信したデータユニットに対するＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）は、前記第１搬送波のアップリンクサブフレームで転送されることを特徴とする、項目１に記載の方法。
（項目１０）
前記第２搬送波のダウンリンクサブフレームｎで受信したデータユニットに対するＡＣＫ／ＮＡＣＫは、前記第１搬送波のダウンリンクサブフレームｎで受信したデータユニットに対するＡＣＫ／ＮＡＣＫが転送されるアップリンクサブフレームで転送されることを特徴とする、項目９に記載の方法。
（項目１１）
前記第２搬送波のダウンリンクサブフレームのうち、前記第１搬送波のアップリンクサブフレームと重なる第１ダウンリンクサブフレームで受信したデータユニットに対するＡＣＫ／ＮＡＣＫは、前記第１ダウンリンクサブフレームで４サブフレームの以後に位置する第１搬送波のアップリンクサブフレームのうち、最も先に位置する第１アップリンクサブフレームまたはその次に位置する第２アップリンクサブフレームで転送されることを特徴とする、項目９に記載の方法。
（項目１２）
前記第１アップリンクサブフレームで転送されるＡＣＫ／ＮＡＣＫのビット数が許容される最大値より大きい場合、前記第２アップリンクサブフレームで転送されることを特徴とする、項目１１に記載の方法。
（項目１３）
前記自分の１搬送波は、基地局との最初連結確立過程または連結再確立過程を遂行するプライマリセル（ｐｒｉｍａｒｙ  ｃｅｌｌ）に含まれることを特徴とする、項目１に記載の方法。
（項目１４）
前記第２搬送波は、前記プライマリセルに追加されるセコンダリーセル（ｓｅｃｏｎｄａｒｙ  ｃｅｌｌ）であることを特徴とする、項目１３に記載の方法。
（項目１５）
前記第２搬送波の周波数帯域は、前記第１搬送波の周波数帯域に使われない周波数帯域であることを特徴とする、項目１に記載の方法。
（項目１６）
無線通信システムにおける搬送波を集成する装置であって、
無線信号を送信及び受信するＲＦ（ｒａｄｉｏ  ｆｒｅｑｕｅｎｃｙ）部、及び、
前記ＲＦ部と連結されるプロセッサを含み、かつ、
前記プロセッサは第１搬送波を設定し、及び前記第１搬送波に追加して第２搬送波を設定し、かつ前記第１搬送波はフレーム内にアップリンクサブフレーム及びダウンリンクサブフレームが互いに異なる時間に位置するＴＤＤ（ｔｉｍｅ  ｄｉｖｉｓｉｏｎ  ｄｕｐｌｅｘ）搬送波であり、
前記第２搬送波はダウンリンクサブフレームのみで構成されるダウンリンク専用搬送波であることを特徴とする、装置。